(57)【特許請求の範囲】
【請求項１】
ユーザによる絞り操作環がなく、後端部に設けられた絞りレバーの位置により絞り値が設定されるタイプのレンズを、マウント機構の異なるカメラボディに接続するレンズアダプタであって、
前記レンズのマウント部と係合するアダプタ前方マウント部と、
当該アダプタ前方マウント部に対して相対的に回動可能に配置された絞り操作環と、
当該絞り操作環の回動による移動量を縮小し、前記絞りレバーの一端を押圧して、前記絞り操作環の回動に応じて前記絞りレバーの位置を変化させる移動量変換伝達部と、
前記カメラボディのマウント部と係合するアダプタ後方マウント部と
を備え、
前記移動量変換伝達部は、前記レンズアダプタの内面に形成された平坦部に軸支された回動レバーを備え、当該回動レバーは軸支位置よりレンズ側端部までの長さがカメラボディ側端部までの長さよりも短く、前記レンズ側端部が前記絞りレバーの一端を押圧し、前記カメラボディ側端部が前記絞り操作環に固定されたピンに当接する
ことを特徴とするレンズアダプタ。
【発明の詳細な説明】
【技術分野】
【０００１】  本発明は、一眼レフカメラ等のレンズとカメラボディの接続に用いられるレンズアダプタに関する。
【背景技術】
【０００２】  一眼レフカメラ等のレンズとカメラボディは互いにマウント部の係合により接続される。一つのメーカ内ではマウント部のサイズ等の機構を統一することで、種類の違う複数のレンズとカメラボディを自由に接続できるようになっている。【０００３】  しかし、メーカ間ではマウント部のサイズ等の機構は統一されておらず、異なるメーカのレンズとカメラボディを接続することはできない。そのため、あるメーカにおける焦点距離等の用途の異なるレンズを複数所有しているユーザは、他社製のカメラボディを取得した場合、既存のレンズを有効利用することができない。【０００４】  このような背景から、メーカの異なる、すなわちマウント部のサイズ等の機構の異なるレンズとカメラボディとを接続するために、「レンズアダプタ」と呼ばれる製品が提供されるに至っている。【０００５】  レンズアダプタは、レンズのマウント部と係合する前方のマウント部と、カメラボディのマウント部と係合する後方のマウント部とを備えている。前方のマウント部はレンズのメーカの仕様に準拠したサイズ等の機構となっており、後方のマウント部はカメラボディのメーカの仕様に準拠したサイズ等の機構となっている。【０００６】  レンズアダプタの厚さ（長さ）は、レンズアダプタの内部を空洞で構成する場合、レンズのマウント部における基準面（フランジ面）位置とカメラボディのマウント部における基準面（フランジ面）位置との光軸方向の差に対応した寸法となっている。同じメーカの統一された機構では基準面位置が一致しており、レンズのマウント部におけるフランジ面とカメラボディのマウント部におけるフランジ面とが直接に接する。【０００７】  カメラボディのマウント部の口径がレンズのマウント部の口径に比して充分に大きい等の例外的な場合を除き、レンズをカメラボディの内部に沈み込ませて配置することは困難であることから、レンズアダプタの内部を空洞で構成する場合、レンズをカメラボディから遠ざける位置に配置できる場合に限ってレンズアダプタを設計することができる。それ以外の場合は、レンズアダプタの内部に中継レンズを内蔵させ、焦点位置を調整する必要がある。中継レンズを内蔵させる場合、中継レンズの品質によっては撮影画像に悪影響を与えることがあり、中継レンズに品質の高いものが要求される。【０００８】  一方、レンズには、フォーカス（ピント）を調整するための機構と、絞り（アイリス）を調整するための機構とが設けられており、それぞれについてユーザによる操作を行えるようにした操作環がレンズの周面に設けられているものが多い。【０００９】  昨今では、オートフォーカスが主流であるが、ほとんどの機種においてマニュアルフォーカスのための操作環がレンズに設けられている。フォーカスはレンズの内部に駆動用のモータが設けられ、カメラボディとは電気的接点を介して接続されるタイプと、レンズのフォーカス駆動軸をカメラボディ内のモータ軸と接続するタイプとがある。【００１０】  絞りは、レンズの後端部に設けられた絞り有効（無効）レバーをカメラボディ側で制御するタイプが多く、カメラボディのファインダでレンズ透過画像を見ている場合には絞りを開放状態に維持し、シャッタを切る際に絞りをユーザ設定値にする。【００１１】  レンズアダプタは、もともと異なるメーカのレンズとカメラボディとを接続するものであり、フォーカスや絞りの制御の機構も互いに異なることから、カメラボディとの接続の機構を持たないものが多く、フォーカスや絞りはマニュアル操作のみで使用する。この場合、絞りについては絞り有効（無効）レバーをユーザによる設定値となる位置に常に固定している。
【先行技術文献】
【特許文献】
【００１２】
【特許文献１】特開２００３−５７７４２号公報
【発明の概要】
【発明が解決しようとする課題】
【００１３】  ところで、昨今では、絞りを調整するための機構があるにもかかわらず、ユーザによる絞りの操作環がレンズの周面に設けられていないタイプのレンズが出現してきた。これは、絞りの設定をオートとマニュアルで切り分けるのがユーザにとって煩雑であるとともに、カメラボディ側での電気的な設定で絞りの操作を行えば充分であることによる。【００１４】  この種のレンズの場合、レンズの後端部に絞りレバーが設けられており、その絞りレバーをカメラボディ側で駆動することで絞り値が制御される。すなわち、絞りレバーの位置が絞り値に対応したものとなっており、操作環による絞りのマニュアル設定を有効にしたり無効にしたりする従前の絞り有効（無効）レバーとは異なる働きをする。なお、絞りの制御を電気信号のみで行うようにしたタイプのレンズも存在するが、そのようなタイプのレンズはここでは考慮しない。【００１５】  この場合に問題となるのは、レンズアダプタにおいて絞りレバーの処理をどうすべきかということである。すなわち、従前の絞り有効（無効）レバーの場合はユーザ設定値となる位置に常に固定しておけばよかったが、絞りレバーの場合は絞りレバーの位置が絞り値そのものとなるため、固定すると絞り値をユーザが変えることができなくなってしまうからである。【００１６】  従って、このようなタイプのレンズに従前の絞り有効（無効）レバーに対応したレンズアダプタを用いると、絞りが閉まりっぱなしであるか開放しっぱなしの状態になってしまう。ユーザによってはマッチ棒をちぎった木片等を絞りレバーの部分に挟んで所望の絞り値に設定したりして対応する者もいるようであるが、絞り値を変える必要があるたびにレンズアダプタを外して調整しなければならず、非常に煩雑であった。また、撮影時に合わせて深く絞った状態では、カメラボディのファインダから見るレンズ透過画像が暗くなってしまい、構図やフォーカスの調整等に不便をきたすという問題もあった。【００１７】  一方、特許文献１には、絞りの操作環がなく、後端部に絞り連動部材（絞りレバー）が設けられているレンズを対象にした中間リング（レンズアダプタ）が開示されている。この特許文献１では、中間リングに操作環を設け、その操作環をレンズの絞り連動部材と機械的に直結することで絞り値のマニュアル設定を行えるようにしている。【００１８】  しかしながら、かかる構成によれば、中間リングの操作環がレンズの絞り連動部材と直結するものであるため、レンズの絞り連動部材の移動範囲が小さい場合、中間リングの操作環の移動範囲（回動範囲）も小さくなり、細かい絞りの設定（調整）が困難になるという問題があった。絞りの操作環のないレンズは、カメラボディ側のアクチュエータにより制御されることを前提としているため、アクチュエータの小型化のために絞り連動部材の移動範囲は小さく形成される傾向があり、上記の問題は一般に発生するものである。【００１９】  本発明は上記の従来の問題点に鑑み提案されたものであり、その目的とするところは、簡易な構成にして、ユーザによる絞りのマニュアル設定を容易に行えるレンズアダプタを提供することにある。
【課題を解決するための手段】
【００２０】  上記の課題を解決するため、本発明にあっては、請求項１に記載されるように、ユーザによる絞り操作環がなく、後端部に設けられた絞りレバーの位置により絞り値が設定されるタイプのレンズを、マウント機構の異なるカメラボディに接続するレンズアダプタであって、前記レンズのマウント部と係合するアダプタ前方マウント部と、当該アダプタ前方マウント部に対して相対的に回動可能に配置された絞り操作環と、当該絞り操作環の回動による移動量を縮小し、前記絞りレバーの一端を押圧して、前記絞り操作環の回動に応じて前記絞りレバーの位置を変化させる移動量変換伝達部と、前記カメラボディのマウント部と係合するアダプタ後方マウント部とを備え、前記移動量変換伝達部は、前記レンズアダプタの内面に形成された平坦部に軸支された回動レバーを備え、当該回動レバーは軸支位置よりレンズ側端部までの長さがカメラボディ側端部までの長さよりも短く、前記レンズ側端部が前記絞りレバーの一端を押圧し、前記カメラボディ側端部が前記絞り操作環に固定されたピンに当接するレンズアダプタを要旨としている。
【発明の効果】
【００２１】  本発明のレンズアダプタにあっては、簡易な構成にして、ユーザによる絞りのマニュアル設定を容易に行うことができる。
【図面の簡単な説明】
【００２２】
【図１】本発明の一実施形態にかかるレンズアダプタの構成例を示す外観図である。
【図２】図１に示したレンズアダプタの分解斜視図である。
【図３】レンズとレンズアダプタとの接続関係を示す図である。
【図４】レンズアダプタとカメラボディとの接続関係を示す図である。
【図５】レンズ、レンズアダプタおよびカメラボディが接続された状態を示す図である。
【図６】レンズアダプタの絞り操作環の回動によるレンズの絞りレバーの位置の変化の例を示す図である。
【図７】移動量変換伝達部の他の実現例を示す図（その１）である。
【図８】移動量変換伝達部の他の実現例を示す図（その２）である。
【発明を実施するための形態】
【００２３】  以下、本発明の好適な実施形態につき説明する。
【００２４】  図１は本発明の一実施形態にかかるレンズアダプタ２の構成例を示す外観図であり、中央の（ｂ）は略円筒状のレンズアダプタ２を側方から見た図、（ａ）は（ｂ）の左斜め手前から見た図、（ｃ）は（ｂ）の右斜め手前から見た図である。
【００２５】  図１（ａ）において、レンズアダプタ２は、リング状のフランジ面２０１と、このフランジ面２０１の中央開口部から後方（図の右側）にせり出す円筒部２０２の内面の端部に設けられた係合爪２０３〜２０５とを有している。フランジ面２０１と係合爪２０３〜２０５は、後述するレンズ（１）と接続するためのアダプタ前方マウント部を構成している。
【００２６】  また、円筒部２０２の奥側（図の右側）の内面には、矩形状の輪郭で浅く削られて形成された平坦部２０６が設けられ、この平坦部２０６には、移動量変換伝達部を構成する回動レバー２０７が軸止部２０８により回動可能に取り付けられている。回動レバー２０７は中心より左側の偏った位置が軸止部２０８により回動軸となっており、左端側の移動量がテコの原理により右端側では拡大（逆に言えば、右端側の移動量がテコの原理により左端側では縮小）するようになっている。そして、回動レバー２０７の左端側は後述するレンズ（１）の絞りレバー（１０８）の一端と当接し、右端側はガイドスリット２０９から頭を出した絞り環連結ピン２１０と当接するようになっている。
【００２７】  フランジ面２０１の周囲には後述するレンズ（１）と接続する際にユーザが掴む歯付けしたマウント操作環２１１が設けられている。フランジ面２０１には、後述するレンズ（１）の係止穴（１０９）と係合する付勢ピン２１２が設けられている。この付勢ピン２１２は、内部のバネにより所定距離だけ突出しており、ピン後退ボタン２１３を図の右方向に押すことで後退（フランジ面２０１の表面から後退）する。
【００２８】  また、マウント操作環２１１と並んで絞り操作環２１４が設けられており、レンズ（１）に固定されるマウント操作環２１１に対して絞り操作環２１４は回動可能となっている。
【００２９】  図１（ｃ）において、レンズアダプタ２は、リング状のフランジ面２１５と、このフランジ面２１５から後方（図の右側）にせり出す円筒部２１６の外面に設けられた係合爪２１７〜２１９とを有している。フランジ面２１５と係合爪２１７〜２１９は、後述するカメラボディ（３）と接続するためのアダプタ後方マウント部を構成している。フランジ面２１５の一部には後述するカメラボディ（３）の付勢ピン（３０５）と係合する係止穴２２０が設けられている。
【００３０】  図２は図１に示したレンズアダプタ２の分解斜視図である。図２（ａ）はマウント操作環２１１を周囲に有する前方フランジ部２１、図２（ｂ）は絞り操作環２１４を周囲に有する可動フランジ部２２、図２（ｃ）はフランジ面２１５を有する後方フランジ部２３を示している。ここで、図２（ａ）の前方フランジ部２１の後端の円筒部に図２（ｂ）の可動フランジ部２２が回動可能に嵌合し、その後ろから図２（ｃ）の後方フランジ部２３が前方フランジ部２１にネジ等により固定される。また、図２（ｂ）において、絞り環連結ピン２１０が可動フランジ部２２の円筒部の外側からネジ込まれ、図２（ａ）における前方フランジ部２１のガイドスリット２０９から頭を出す。絞り環連結ピン２１０の内側端部は、絞り操作環２１４（可動フランジ部２２）の回動に応じ、前方フランジ部２１のガイドスリット２０９の円周方向の両端部間で移動する。
【００３１】  図３はレンズ１とレンズアダプタ２との接続関係を示す図である。
【００３２】  図３において、レンズ１の先端側にはフォーカス操作環１０１が設けられている。また、レンズ１の後端部には、リング状のフランジ面１０２と、このフランジ面１０２の中央部から後方（図の右側）にせり出す円筒部１０３の外面に設けられた係合爪１０４〜１０６とが設けられている。フランジ面１０２と係合爪１０４〜１０６は、レンズ１のマウント部を構成している。
【００３３】  また、レンズ１の後端部には、スライド溝１０７が設けられ、その中から絞りレバー１０８が露出している。絞りレバー１０８は、その円周方向の位置により絞り値が設定される。絞りレバー１０８は図示の下端の位置に内部のバネにより付勢されており、外部から押圧されていない状態では図示の位置にある。ここでは、絞りレバー１０８が下端にある状態で最も絞られた状態、上端にある状態で開放としている。その間の位置に絞りレバー１０８がある場合は、中間的な絞りの状態となる。なお、レンズ１には、ユーザによる絞り操作環は設けられていない。また、レンズ１には、互換性のあるカメラボディ（後述するカメラボディ３とは異なる）の付勢ピンと係合する係止穴１０９が設けられている。
【００３４】  レンズ１とレンズアダプタ２の接続にあっては、レンズ１の係合爪１０４〜１０６をレンズアダプタ２の係合爪２０３〜２０５の間の部分、すなわち係合爪２０３と係合爪２０４の間、係合爪２０３と係合爪２０５の間、および係合爪２０４と係合爪２０５の間に嵌め込み、レンズ１のフランジ面１０２とレンズアダプタ２のフランジ面２０１が接触し、互いの係合爪の軸方向位置を通り越した状態で、図の例では反時計方向にレンズ１を相対的に回すことで接続が行われる。なお、レンズ１の係合爪１０４〜１０６（レンズアダプタ２の係合爪２０３〜２０５についても同様）の角度位置は個々に変えてあるため、決められた位置以外では嵌め込みが行えないようになっている。また、レンズ１を反時計方向に回しきったところでレンズ１の係止穴１０９にレンズアダプタ２の付勢ピン２１２が係合してロック状態となる。ロックを解除する場合、レンズアダプタ２のピン後退ボタン２１３を押すことで付勢ピン２１２が後退し、レンズ１を時計方向に回すことでレンズ１をレンズアダプタ２から外すことができる。
【００３５】  レンズ１とレンズアダプタ２が接続された状態においては、レンズ１の絞りレバー１０８がレンズアダプタ２の回動レバー２０７の左端と当接した状態となる。
【００３６】  図４はレンズアダプタ２とカメラボディ３との接続関係を示す図である。なお、説明の都合からレンズアダプタ２を単体でカメラボディ３に接続する図としているが、実際にはレンズ１とレンズアダプタ２を接続した後にカメラボディ３に接続することとなる。
【００３７】  図４において、カメラボディ３の前面にはフランジ面３０１が設けられ、このフランジ面３０１の中央開口部の内面には係合爪３０２〜３０４が設けられている。フランジ面３０１と係合爪３０２〜３０４は、カメラボディ３のマウント部を構成している。また、フランジ面３０１には内部のバネにより所定距離だけ突出する付勢ピン３０５が設けられている。この付勢ピン３０５はピン後退ボタン３０６を押すことで後退（フランジ面３０１の表面から後退）する。
【００３８】  レンズアダプタ２とカメラボディ３の接続にあっては、レンズアダプタ２の係合爪２１７〜２１９をカメラボディ３の係合爪３０２〜３０４の間の部分、すなわち係合爪３０２と係合爪３０４の間、係合爪３０４と係合爪３０３の間、および係合爪３０３と係合爪３０２の間に嵌め込み、レンズアダプタ２のフランジ面２１５とカメラボディ３のフランジ面３０１が接触し、互いの係合爪の軸方向位置を通り越した状態で、図の例では時計方向にレンズアダプタ２を相対的に回すことで接続が行われる。レンズアダプタ２を時計方向に回しきったところでレンズアダプタ２の係止穴２２０にカメラボディ３の付勢ピン３０５が係合してロック状態となる。ロックを解除する場合、カメラボディ３のピン後退ボタン３０６を押すことで付勢ピン３０５が後退し、レンズアダプタ２を反時計方向に回すことでレンズアダプタ２をカメラボディ３から外すことができる。
【００３９】  図５はレンズ１、レンズアダプタ２およびカメラボディ３が接続された状態を示している。
【００４０】  図６はレンズアダプタ２の絞り操作環２１４の回動によるレンズ１の絞りレバー１０８の位置の変化の例を示す図である。
【００４１】  図６（ａ）はレンズアダプタ２の絞り環連結ピン２１０がガイドスリット２０９の奥側の端にあり、レンズ１の絞りレバー１０８が手前側の端にある状態を示している。また、図６（ｂ）はレンズアダプタ２の絞り環連結ピン２１０がガイドスリット２０９の手前側の端にあり、レンズ１の絞りレバー１０８が奥側の端にある状態を示している。
【００４２】  一般に、レンズ１の絞りレバー１０８の移動範囲は小さいが、レンズアダプタ２の回動レバー２０７によるテコの原理により、レンズ１の絞りレバー１０８の移動範囲に比べ、レンズアダプタ２の絞り環連結ピン２１０の移動範囲を数倍に拡大することができる。従って、絞り環連結ピン２１０と一体に回動する絞り操作環２１４の移動範囲を大きくすることができ、細かく絞りを調整しようとするユーザに対しても操作性を損なわないものとすることができる。
【００４３】  図７は移動量変換伝達部の他の実現例を示す図であり、機構部を概念的に示している。
【００４４】  図７において、レンズアダプタ２には、絞り操作環２１４と一体に回動するギア片２３１と、レンズアダプタ２に固定のギア片２３２とが設けられている。ギア片２３１、２３２の歯はレンズ１の光軸方向にラック状に立っている。また、ギア片２３１、２３２の間にはギア２３３が設けられ、その回転軸にバカ孔を介して係合する伝達レバー２３４が設けられ、その伝達レバー２３４の端部がレンズ１の絞りレバー１０８を押圧するようになっている。
【００４５】  絞り操作環２１４の回動に従ってギア片２３１が円周方向に移動すると、固定のギア片２３２との間に挟まるギア２３３も回転しながら移動するが、その回転軸の円周方向の移動量はギア片２３１の円周方向の移動量の半分になる。従って、伝達レバー２３４による絞りレバー１０８の移動量と絞り操作環２１４の移動量とを２倍の比とすることができる。
【００４６】  なお、ギアが１段の例を示したが、ギアを多段とすることにより、移動量の拡大率（縮小率）を更に高めることができる。
【００４７】  また、ギアの歯をなくし、部材間の摩擦により駆動するようにしてもよい。この場合は製造コストが安く済む。ただし、空回りの発生により絞り操作環２１４の絶対位置が決まらなくなるため、絞り目盛をレンズアダプタ２の周面に設ける場合には好ましくない。
【００４８】  図８は移動量変換伝達部の更に他の実現例を示す図である。
【００４９】  図８において、レンズアダプタ２には、絞り操作環２１４と一体に回動するギア片２４１と、レンズアダプタ２に固定のギア片２４２とが設けられている。ギア片２４１、２４２の歯はレンズ１の半径方向にラック状に立っている。また、ギア片２４１、２４２の間にはギア２４３が設けられ、その回転軸にバカ孔を介して係合する伝達レバー２４４が設けられ、伝達レバー２４４の端部がレンズ１の絞りレバー１０８を押圧するようになっている。
【００５０】  絞り操作環２１４の回動に従ってギア片２４１が円周方向に移動すると、固定のギア片２４２との間に挟まるギア２４３も回転しながら移動するが、その回転軸の円周方向の移動量はギア片２４１の円周方向の移動量の半分になる。従って、伝達レバー２４４による絞りレバー１０８の移動量と絞り操作環２１４の移動量とを２倍の比とすることができる。
【００５１】  なお、ギアが１段の例を示したが、ギアを多段とすることにより、移動量の拡大率（縮小率）を更に高めることができる。
【００５２】  また、ギアの歯をなくし、部材間の摩擦により駆動するようにしてもよい。この場合は製造コストが安く済む。ただし、空回りの発生により絞り操作環２１４の絶対位置が決まらなくなるため、絞り目盛をレンズアダプタ２の周面に設ける場合には好ましくない。
【００５３】  以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００５４】  １                  レンズ
１０１              フォーカス操作環
１０２              フランジ面
１０３              円筒部
１０４〜１０６      係合爪
１０７              スライド溝
１０８              絞りレバー
１０９              係止穴
２                  レンズアダプタ
２０１              フランジ面
２０２              円筒部
２０３〜２０５      係合爪
２０６              平坦部
２０７              回動レバー
２０８              軸止部
２０９              ガイドスリット
２１０              絞り環連結ピン
２１１              マウント操作環
２１２              付勢ピン
２１３              ピン後退ボタン
２１４              絞り操作環
２１５              フランジ面
２１６              円筒部
２１７〜２１９      係合爪
２２０              係止穴
２３１              ギア片
２３２              ギア片
２３３              ギア
２３４              伝達レバー
２４１              ギア片
２４２              ギア片
２４３              ギア
２４４              伝達レバー
２１                前方フランジ部
２２                可動フランジ部
２３                後方フランジ部
３                  カメラボディ
３０１              フランジ面
３０２〜３０４      係合爪
３０５              付勢ピン
３０６              ピン後退ボタン
【図１】
0005446004.tif 000002
【図２】
0005446004.tif 000003
【図３】
0005446004.tif 000004
【図４】
0005446004.tif 000005
【図５】
0005446004.tif 000006
【図６】
0005446004.tif 000007
【図７】
0005446004.tif 000008
【図８】
0005446004.tif 000009